(57)【要約】【課題】固定部材と可動部材の組付作業性が良好で、ピンに嵌挿したワッシャの外れを防止して可動部材を円滑に回動させることができる着脱式の蝶番を提供する。【解決手段】可動部材１の基枠体２内の上部と下部に、軸受部を有する軸受部材３，４が、軸受孔の軸心位置を１本の軸線上に一致させて固定される。固定部材１１の取付板部１２における上部と下部の縁部に、各々巻付部にピン１５，１６を挿入・固定した軸保持部１３，１４が軸心位置を１本の軸線上に一致させて固定される。ピン１５，１６は、先端側に大径部１５ａ，１６ａを末端側に小径部１５ｂ、１６ｂを設けて形成され、且つ小径部１５ｂ、１６ｂにワッシャ７を緩く嵌挿した状態で、軸保持部１３，１４の巻付部に固定される。【選択図】図４
2005248535.tif 000002
【特許請求の範囲】
【請求項１】
開閉可能な扉と本体間に取り付けられ、縦長の第一部材と第二部材とからなる着脱形の蝶番において、
該第一部材の基枠体内の上部と下部に、軸受部を有する軸受部材が、軸受孔の軸心位置を１本の軸線上に一致させて固定され、該第二部材の取付板部における上部と下部の縁部に、各々巻付部にピンを挿入・固定した軸保持部が軸心位置を１本の軸線上に一致させて固定され、該ピンは、先端側に大径部を末端側に小径部を設けて形成され、且つ該小径部にワッシャを緩く嵌挿した状態で、該軸保持部の巻付部に固定され、該ワッシャが該巻付部の端面と該ピンの大径部の端面との間で接触可能とされていることを特徴とする蝶番。
【請求項２】
前記ピンの外周部には、前記巻付部内に挿入される部分に溝が形成され、該溝の外側に位置する該巻付部の一部をかしめて該ピンが固定されたことを特徴とする請求項１記載の蝶番。
【請求項３】
前記軸受部材は前記軸保持部を内側に収容可能に形成され、前記第一部材の基枠体に開口部が該軸受部材に対応して形成され、前記軸受部材が該開口部から一部を背面側に突出して該基枠体に固定されていることを特徴とする請求項１記載の蝶番。
【発明の詳細な説明】
【技術分野】
【０００１】
本発明は、ゲーム機などの扉を本体に対し開閉自在に支持する着脱形（ピン挿入形）の蝶番に関する。
【背景技術】
【０００２】
従来、例えばスロットマシンの扉を開閉自在に支持する蝶番として、固定部材と可動部材とからなり、固定部材の取付板部の縁部に軸受部が設けられ、可動部材の巻付部にピンが下方に突出して固定され、そのピンを固定部材側の軸受孔に挿入して組み付ける構造の着脱形の蝶番が知られている。この蝶番は、通常、ゲーム機の形状が大きいこともあって、本体と前扉間の上部と下部の２箇所に取り付けられる。
【０００３】
スロットマシンの扉の開閉を円滑にするためには、その本体と前扉間に装着される２個の蝶番の回転軸の軸心位置を正確に合わせて取り付ける必要がある。従って、上記のように２個の蝶番を本体と前扉間に取り付ける場合、本体側に２個の固定部材をその軸受部の軸心位置を合わせて固定すると共に、前扉側の対応位置に２個の可動部材をそのピンの軸心位置を正確に合わせて、固定しなければならず、蝶番の取付け作業が難しく煩雑で、多くの時間や工数を必要とする問題があった。
【０００４】
そこで、本発明者らは、下記特許文献１において、縦長の固定部材と可動部材とからなる蝶番であって、固定部材の取付板部における上部と下部の縁部に、各々軸受孔を持つ軸受部が軸心位置を１本の軸線上に一致させて設けられ、可動部材の取付板部における上部と下部の縁部に形成した巻付部に、各々ピンが軸心位置を１本の軸線上に一致させ且つ下方に突出して固定され、両ピンを固定部材の各軸受部に挿入して組み付けるようにした蝶番を提案した。
【特許文献１】特開平１０−２０１９２２号公報
【発明の開示】
【発明が解決しようとする課題】
【０００５】
この蝶番は、縦長の固定部材の上部と下部に軸受部となる軸受孔を同一軸線上に設け、同様の縦長の可動部材の上部と下部にピンを同一軸線上に取り付けて構成されるため、蝶番を組み付ける際には、可動部材を取り付けた前扉を持ち上げながら、本体側の固定部材の上部と下部の軸受孔に、各々同時に挿入するが、この際、蝶番の回動が円滑に行われるように、可動側のピンにワッシャを緩く嵌挿している。このとき、可動部材のピンは下側を向いているため、ワッシャをピンに嵌挿した場合、ワッシャが落下しやすく、作業性が悪いという課題があった。また、この種の着脱式蝶番では、上記とは逆に、ピンを固定部材側に上向きに取り付け、可動部材側に軸受孔を設けた構造のものもあるが、蝶番の製造時に、ピンにワッシャを嵌挿した場合でも、蝶番をゲーム機などの本体と前扉に取り付ける際にピンからワッシャが外れる場合があり、ワッシャがピンに嵌挿されない状態で、可動部材と固定部材が嵌合されると、可動部材の円滑な動きが阻害される課題があった。
【０００６】
本発明は、上記の点に鑑みてなされたもので、固定部材と可動部材の組付作業性が良好で、ピンに嵌挿したワッシャの外れを防止して可動部材を円滑に回動させることができる着脱式の蝶番を提供することを目的とする。
【０００７】
上記目的を達成するための本発明の蝶番は、開閉可能な扉と本体間に取り付けられ、縦長の第一部材と第二部材とからなる着脱形の蝶番において、該第一部材の基枠体内の上部と下部に、軸受部を有する軸受部材が、軸受孔の軸心位置を１本の軸線上に一致させて固定され、該第二部材の取付板部における上部と下部の縁部に、各々巻付部にピンを挿入・固定した軸保持部が軸心位置を１本の軸線上に一致させて固定され、該ピンは、先端側に大径部を末端側に小径部を設けて形成され、且つ該小径部にワッシャを緩く嵌挿した状態で、該軸保持部の巻付部に固定され、該ワッシャが該巻付部の端面と該ピンの大径部の端面との間で接触可能とされていることを特徴とする。
【０００８】
ここで、請求項２のように、上記ピンの外周部には、巻付部内に挿入される部分に溝が形成され、該溝の外側に位置する該巻付部の一部をかしめて該ピンが固定される構造とすることができる。
【０００９】
また、請求項３のように、上記軸受部材は軸保持部を内側に収容可能に形成され、第一部材の基枠体に開口部が該軸受部材に対応して形成され、軸受部材が該開口部から一部を背面側に突出して該基枠体に固定される構造とすることができる。
【発明の効果】
【００１０】
このように構成された蝶番は、第一部材を扉に可動部材として固定し、第二部材を本体に固定部材として固定するか、或はその逆に、第二部材を扉に可動部材として固定し、第一部材を本体に固定部材として固定して使用する。また、例えば、蝶番の第一部材を扉に可動部材として固定し、第二部材を本体に固定部材として固定した場合、第二部材の巻付部に設けたピンは上向きに固定される。逆に、蝶番の第二部材を扉に可動部材として固定し、第一部材を本体に固定部材として固定した場合、第二部材の巻付部に設けたピンは下向きに固定される。
【００１１】
例えば、蝶番の第一部材を扉に可動部材として固定し、第二部材を本体に固定部材として固定した場合、扉を持って可動側の軸受部材の軸受孔を、固定側の軸保持部のピンに合わせに、軸保持部の巻付部に対し、軸受部材をその軸線位置に合わせ、軸受孔の軸線とピンの軸線を一致させ、その状態で可動側の軸受部材の位置を少し下げ、固定側の軸保持部のピンを可動側の軸受部材の軸受孔に嵌入させる。この嵌合状態において、ピンの先端部に緩く嵌挿され回転可能なワッシャは、軸受部材の軸受部の上面或いは下面と軸保持部材の端面に接触し、可動部材は固定部材に対しワッシャを介して円滑に回動可能な状態となる。
【００１２】
また、ワッシャは、先端側に大径部を有したピンの小径部に嵌挿されているため、蝶番の出荷時に、第一部材と第二部材を分離した状態でも、ワッシャがピンから脱落することはなく、さらに、蝶番がゲーム機などに使用され、何らかの理由によりゲーム機の扉を蝶番を介して本体から外した場合であっても、ピンに嵌挿したワッシャをなくす虞はなく、継続して可動部材の円滑な回動を確保することができる。
【発明を実施するための最良の形態】
【００１３】
以下、本発明の実施の形態を図面に基づいて説明する。図１は蝶番の可動部材１の正面図を示し、図２はその平面図と左側面図を示している。可動部材１は、帯状の鋼板を断面略コ字状に曲折してなる縦長の基枠体２を有し、その基枠体２の内側の上部と下部に、軸受孔３ａ，４ａを有する軸受部材３、４を、リベットかしめ加工等により固定して構成される。
【００１４】
可動部材１の基枠体２は、正面側を開口した断面略コ字状の長尺のチャンネル材形に形成され、その上部と下部の背面に矩形の開口部が形成され、その開口部に軸受部材３、４がその内側から外側に差し込むように固定されている。軸受部材３、４は、図１〜図３に示すように、金属板を略コ字状に曲げて形成された本体部と、その上部と下部を垂直に曲げて形成された取付部とから構成される。その取付部にはリベット用の固定孔が穿設され、コ字状の本体部の水平上部に水平板状の軸受部３３，４４が形成され、その軸受部に軸受孔３ａ，４ａが穿設されている。
【００１５】
さらに、この軸受部の軸受孔３ａ，４ａの位置は、基枠体２の一方の壁部と軸受部材３，４の背面壁の近傍に位置し、後述の軸保持部１３、１４のピン１５，１６を嵌入したとき、その軸心位置が、一致するように形成されている。このような軸受部材３，４は、基枠体２内の上部と下部に形成された開口部に、正面側から挿入し、その上下の取付部に設けた固定孔にリベット３ｃ、４ｃを挿入し、リベットをかしめて基枠体２内に固定される。軸受部材３，４は、各々全く同じ形状に形成され、一枚の金属板をプレス加工して少ない加工工数で簡単に形成できるため、製造コストの効果的な低減が可能である。
【００１６】
横断面をコ字状に形成された基枠体２の左側壁は、右側壁に比べ幅広に形成され、可動部材１をゲーム機の前扉２１に取り付けて使用した場合、軸受部と軸保持部をこの左側壁で覆って、ゲーム機本体との隙間から異物を挿入するなどの行為を不正防止すると共に、長尺の基枠体２の曲げ強度を高めている。基枠体２は、その背面を固定ねじによりゲーム機の前扉２１内に固定して取り付けられるが、前扉の縦寸法に対応した縦長に形成され、断面コ字状のチャンネル材に類似した形状に形成することにより、大きな曲げ強度を有し、前扉２１を補強することができる。
【００１７】
図４〜図７に示すように、固定部材１１は、縦長で帯状の鋼板からなる取付板部１２と、その取付板部１２の側部に延設されたコ字状断面部１２ａとを基部とし、コ字状断面部１２ａの側部の上部と下部に、軸保持部１３、１４を延設して形成される。軸保持部１３，１４は、上記可動部材１の軸受部材３，４の位置に対応した位置に形成され、取付板部１２の適所に複数の取付孔が設けられる。軸保持部１３、１４は、先端に巻付部１３ａ，１４ａを前方に突出するように設け、その巻付部１３ａ，１４ａにピン１５、１６を各々上向きに嵌挿・固定している。
【００１８】
巻付部１３ａ，１４ａは筒状に成形され、内側にピン１５、１６が挿入され、巻付部１３ａ，１４ａの一部をかしめることにより、ピン１５，１６はその先端を上方に突出した状態で固定される。図６、図７に示すように、ピン１５，１６は巻付部１３ａ，１４ａに巻付け固定される部分を小径部１５ｂ、１６ｂとして形成され、その先端部には段差部を介して大径部１５ａ，１６ａが形成されている。
【００１９】
そして、ピン１５，１６を巻付部１３ａ，１４ａに固定する際には、図７のように、その小径部１５ｂ、１６ｂにワッシャ７が緩く嵌挿される。このワッシャ７の孔の内径は、小径部１５ｂ、１６ｂの外径より僅かに大きく、大径部１５ａ，１６ａの外径より小さく形成されているため、ワッシャ７がピン１５，１６の先端側から外れることはない。
【００２０】
また、ピン１５，１６の小径部１５ｂ、１６ｂに、かしめ固定用の環状の溝１５ｃ、１６ｃが形成され、ピン１５，１６を巻付部１３ａ，１４ａに挿入して固定する際、巻付部１３ａ，１４ａの溝１５ｃ、１６ｃに対応した箇所を、図６のようにかしめて、ピン１５，１６を巻付部１３ａ，１４ａに固定する。そして、ピン１５，１６の小径部１５ｂ、１６ｂに緩く嵌挿されたワッシャ７が回動する程度にピン１５，１６をかしめ固定することになる。これにより、プレスによるかしめ工程のみで、ワッシャ７を挿通したピン１５，１６を簡便に固定部材１１に固定することができる。
【００２１】
さらに、上下のピン１５，１６は固定部材１１の軸保持部１３，１４の巻付部１３ａ，１４ａにかしめ固定されるが、このとき、上下のピン１５、１６は、その軸が取付板部１２の長手方向に沿った１本の軸線上を通るように、軸心位置を合わせて取り付けられる。固定部材１１は取付板部１２に設けたコ字状断面部１２ａによって高い曲げ強度が確保され、上下のピン１５，１６の軸心位置のずれを防止している。
【００２２】
なお、図４に示すように、固定部材１１における軸保持部１３，１４の下方には、凸部の下に凹部１７，１８が形成され、可動部材１を固定部材１１に組み付けた際、この凹部１７，１８が可動部材１の軸保持部１３，１４の下壁部に嵌り、可動部材１つまり前扉２１を外す上方への移動を阻止するようにしている。
【００２３】
このように構成された蝶番は、図９に示すように、その固定部材１１がゲーム機の本体（キャビネット）２０の左側壁の内側に、取付板部１２の取付孔に取付ねじを挿入して締め付けることにより固定され、その可動部材１がゲーム機の前扉２１の左端部内側における固定部材１１と対応した位置に、その基枠体２を取付ねじにより締め付けて取り付けられる。
【００２４】
そして、前扉２１を開いた状態で、蝶番の可動部材１の上下の軸受部３３、４４の軸受孔３ａ，４ａを、本体２０の固定部材１１の上下のピン１５、１６に嵌合して、図８のように蝶番を組み付け、前扉２１を本体２０に対し装着する。この際、前扉２１を持って先ず上下の軸受部材３、４を固定部材１１側の軸保持部１３、１４に合わせ、軸受部材３、４の内壁を、固定部材１１の軸保持部１３、１４の巻付部１３ａ，１４ａに当てるように、前扉２１を動かして、ピン１５，１６の軸心位置を軸受孔３ａ，４ａの軸心位置に合わせ、この状態で、前扉２１の位置を少し下げれば、自動的にピン１５、１６が軸受孔３ａ，４ａ内に進入して嵌め込まれ、これにより、容易に蝶番を組み付けることができる。
【００２５】
このように蝶番の固定部材１１と可動部材１を組み付けた状態では、可動部材１の上下の軸受部材３，４の軸受部の軸受孔３ａ，４ａが固定部材１１のピン１５，１６の先端の大径部１５ａ，１６ａに嵌り込むが、このとき、ピン１５，１６の大径部１５ａ，１６ａの下側の小径部１５ｂ、１６ｂに緩く嵌合されたワッシャ７が軸受部材３，４の軸受部３３，４４の下面に当たって回転自在に支持する。
【００２６】
したがって、可動部材１つまり前扉２１は、固定部材１１つまり本体２０に対し良好に回動可能に保持されることになる。また、ゲーム機は、その組立て製造の段階で、或いはホールに設置されたときの保守点検で、前扉を本体から取り外す場合があり、このとき、蝶番の固定部材と可動部材が外されるが、従来のように、ピンにワッシャを単純に挿入しただけであると、前扉を外したときに、ワッシャが外れて紛失する場合がある。しかし、本蝶番の固定部材１１のピン１５、１６には、大径部１５ａ，１６ａの下側の小径部１５ｂ、１６ｂにワッシャ７が嵌挿してあるため、分解時にもワッシャ７は外れることがなく、常に可動部材１の良好な回動性能を確保することができる。
【００２７】
なお、本発明の蝶番は、上記実施形態に限定されるものではなく、以下のような態様でも実施することができる。
【００２８】
1)  上記では可動部材１側に軸受孔３ａ，４ａを有する軸受部材３、４を設け、固定部材１１側にピン１５、１６を有する軸保持部１３、１４を設けたが、反対に、固定部材側に軸受孔を有する軸受部材を固定し、可動部材側にピンを有する軸保持部を固定してもよく、その場合、可動部材側のピンは下向きに取り付けられる。
【００２９】
2)  上記では固定部材１１のピン１５，１６を保持する軸保持部１３，１４の巻付部１３ａ，１４ａは、取付板部１２から延設された部分をそのまま円筒形に巻いて一体に形成したが、巻付部を含む軸保持部を別個に形成し、所定の位置にかしめや溶接で固定することもできる。この場合、軸保持部は必要な強度を持つように板厚の厚い金属板で成形し、取付板部は比較的薄い金属板で成形し、軸保持部を任意の位置に固定すればよいから、全体寸法やピンの位置寸法の異なる蝶番を、共通部品を使用して、より低コストで製造することができる。
【００３０】
以上説明したように、本発明の蝶番によれば、軸受部材の軸受部に嵌入するピンにワッシャが緩く嵌挿され、ワッシャは、先端側に大径部を有したピンの小径部に嵌挿されているため、蝶番の出荷時に、第一部材と第二部材を分離した状態でも、ワッシャがピンから脱落することはなく、また、蝶番がゲーム機などに使用され、何らかの理由によりゲーム機の扉を蝶番を介して本体から外した場合であっても、ピンに嵌挿したワッシャをなくす虞はなく、継続して可動部材の円滑な回動を確保することができる。
【図面の簡単な説明】
【００３１】
【図１】本発明の蝶番の一実施形態を示し、蝶番の可動部材１の正面図である。
【図２】（ａ）は可動部材１の平面図、（ｂ）は左側面図である。
【図３】図２の拡大III-III断面図である。
【図４】固定部材１１の右側面図である。
【図５】固定部材１１の拡大平面図である。
【図６】巻付部１３ａ，１４ａとピン１５，１６の拡大断面図である。
【図７】巻付部１３ａ，１４ａとピン１５，１６とワッシャ７の分解斜視図である。
【図８】可動部材１と固定部材１１を組み付けた状態の右側面図である。
【図９】使用状態を示す断面図で、本体２０の固定部材に対し前扉２１の可動部材を閉じた状態の断面図である。
【符号の説明】
【００３２】
１−可動部材
２−基枠体
３，４−軸受部材
３ａ，４ａ−軸受孔
３３，４３−軸受部
７−ワッシャ
１１−固定部材
１２−取付板部
１３，１４−軸保持部
１３ａ，１４ａ−巻付部
１５，１６−ピン
１５ａ，１６ａ−大径部
１５ｂ，１６ｂ−小径部                                                                       
【図１】
2005248535.tif 000003
【図２】
2005248535.tif 000004
【図３】
2005248535.tif 000005
【図４】
2005248535.tif 000006
【図５】
2005248535.tif 000007
【図６】
2005248535.tif 000008
【図７】
2005248535.tif 000009
【図８】
2005248535.tif 000010
【図９】
2005248535.tif 000011